(57)【特許請求の範囲】
【請求項１】
撮影装置において、
当該撮影装置の傾きを検出する傾き検出手段と、 
０から９までの数字を表示可能な７つの表示セグメントを有する数字インジケータが互いに隣接して複数配置され、撮影に関する情報をファインダを介して視認可能に表示する情報表示手段と、
前記情報表示手段により前記撮影に関する情報の表示を行うか、前記撮影に関する情報の一部の表示と置き換えて、前記情報表示手段により前記検出手段で検出される傾きを示す表示を行うかを選択的に切り換える切換手段と、
を備え、
当該撮影装置が傾いた状態で前記情報表示手段により前記傾き検出手段で検出した傾きを表示する際には、前記各数字インジケータにおいて異なる箇所の前記表示セグメントを点灯させて前記傾き検出手段で検出した傾きを２次元で表示することを特徴とする撮影装置。
【請求項２】
当該撮影装置が傾いた状態で前記情報表示手段により前記傾き検出手段で検出した傾きを表示する際には、前記各数字インジケータにおいて、前記各数字インジケータの並んだ方向と交わる方向において異なる位置の表示セグメントを点灯させて前記傾き検出手段で検出した傾きを２次元で表示することを特徴とする請求項１に記載の撮影装置。
【請求項３】
前記情報表示手段は、露出レベルを表示するため、直線的に配列され、センタ表示セグメントを含む複数の表示セグメントを有する露出インジケータを有し、
前記傾き検出手段で検出した傾きを表示する際には、前記露出インジケータの前記センタ表示セグメントを中心として、当該傾きの方向に応じて該センタ表示セグメントの一方側又は他方側に配置された表示セグメントを用い、当該傾きの量に応じて点灯する表示セグメントの数を変化させることにより、当該傾きの方向及び当該傾きの量を表示することを特徴とする請求項１又は２に記載の撮影装置。
【請求項４】
前記情報表示手段は、前記傾き検出手段で検出した傾きを表示する際に、当該傾きの量が所定量を越えた場合に、表示形態を変更することを特徴とする請求項１〜３の何れか一項に記載の撮影装置。
【発明の詳細な説明】
【技術分野】
【０００１】
本発明は、傾きを表示可能なカメラ等の撮影装置に関する。
【背景技術】
【０００２】
カメラを用いた写真撮影等においては、該カメラを水平にした状態での撮影を補助するために、例えば、下記特許文献１に記載されているように、ファインダ内に水準器又はその表示部を設けた一眼レフカメラが開示されている。撮影者は水準器の表示を見ながら、カメラの傾きを修正して、水平な状態で撮影することができるが、ファインダ内に水準器の表示部を設けることは、ファインダの大型化に加えて、傾き表示用の専用の表示装置を設けることになるため、コスト上昇を招く。
【０００３】
これに対し、下記特許文献２に開示されているように、カメラの姿勢を検出する姿勢検出装置に基づく角度に応じて傾きが変化する水平補助線を、カメラの外部から視認可能なリアルタイム画像を表示する液晶モニタに重畳的に表示させて、カメラの傾きを調整できるようにした技術が提案されている。
【０００４】
この特許文献２に記載の技術では、リアルタイム画像を表示する液晶モニタを用いて傾きを表示するので、特許文献１に記載された技術のように、ファインダの大型化やコストアップの問題は解消できるものの、一眼レフカメラのように、ファインダを介して被写体を視認しながら撮影する場合が多いカメラでは、水平を調整して撮影するこができないという問題がある。
【０００５】
本発明は、このような点に鑑みてなされたものであり、その目的とするところは、ファインダの大型化やコスト上昇を招くことなく、ファインダを介して被写体を視認しながら傾きを調整して撮影できるようにした撮影装置を提供することである。
【特許文献１】特開平１０−３０７３２３号公報
【特許文献２】特開２００２−２７１６５４号公報
【発明の開示】
【課題を解決するための手段】
【０００６】
本発明によると、撮影装置において、当該撮影装置の傾きを検出する傾き検出手段（１４）と、０から９までの数字を表示可能な７つの表示セグメントを有する数字インジケータが互いに隣接して複数配置され、撮影に関する情報をファインダを介して視認可能に表示する情報表示手段（１３）と、前記情報表示手段により前記撮影に関する情報の表示を行うか、前記撮影に関する情報の一部の表示と置き換えて、前記情報表示手段により前記検出手段で検出される傾きを示す表示を行うかを選択的に切り換える切換手段（１５）と、を備え、当該撮影装置が傾いた状態で前記情報表示手段により前記傾き検出手段で検出した傾きを表示する際には、前記各数字インジケータにおいて異なる箇所の前記表示セグメントを点灯させて前記傾き検出手段で検出した傾きを２次元で表示する撮影装置が提供される。
【０００７】
なお、この項の説明では、後述する実施形態を表す図面に示す部材等を示す符号を括弧を付して付記したが、これは単に理解の容易化のためであり、本発明の各構成要件は、これら部材等を示す符号を付した図面に示す部材等に限定されるものではない。
【発明の効果】
【０００８】
一般的なカメラにおいては、露出やその他の撮影に関する情報を表示するためのセグメント方式の情報表示手段がファインダ内等に設けられている場合が多い。本発明では、そのようなセグメント方式の情報表示手段に、該撮影に関する情報の一部と置き換えて、検出手段で検出される傾きを示す表示を行えるようにしたので、従来技術のように、別途傾き表示用の専用の表示装置を設ける必要がなく、ファインダの大型化やコスト上昇を招くことがないと共に、ファインダ内の情報表示装置と兼用することにより、ファインダを介して被写体を視認しながら傾きを調整して撮影することができるようになるという効果がある。
【発明を実施するための最良の形態】
【０００９】
以下、本発明の実施形態について、図面を参照して詳細に説明する。
【００１０】
（カメラの概略構成）
図１は本発明の実施形態に係るデジタルカメラの概略構成を模式的に示す断面図である。このカメラは、一眼レフ方式のデジタルカメラである。但し、本発明が適用可能なカメラとしては、一眼レフ方式のデジタルカメラに限定されず、コンパクトデジタルカメラ、電子制御式のフィルムカメラ、動画を記録するビデオカメラ、その他のカメラであってもよい。また、本発明は、一般的にカメラと称呼される装置にも限定されず、撮影機能を備えるあらゆる電子装置にも適用可能である。
【００１１】
図１において、撮影レンズ１を介した被写体の像は、ミラーダウン状態にあるクイックリターンミラーＱＲＭ（図１に二点鎖線で示す）により上方に反射され、フォーカシングスクリーン（焦点板）ＦＳ、ペンタ（ダハ）プリズムＰＥＰ等を介して接眼窓ＯＷに導かれ、撮影者は接眼窓ＯＷを介して、当該被写体の像を視認可能である。
【００１２】
不図示のレリーズスイッチが押下（全押し）されると、クイックリターンミラーＱＲＭが同図で時計方向に回動して、撮影レンズ１の光路から待避され、撮影レンズ１を介した被写体の像は、シャッタＳＨＴを介して、ＣＣＤあるいはＣＭＯＳ等からなる撮像素子２の撮像面上に結像される。この撮像素子２による撮影画像は、カメラＣＭの背面に設けられた画像表示装置９に表示することもできる。
【００１３】
ファインダＰＥＰ内には、露出レベルを表示するための露出インジケータや撮影に関する情報（例えば、シャッタスピードや絞り値等）を、撮影者がファインダＰＥＰの観察窓ＯＷを介して撮影領域の外側で視認可能とするためのファインダ内表示装置１３が設けられている。このファインダ内表示装置１３としては、セグメント方式の液晶表示パネルが用いられている。なお、ファインダ内表示装置１３としては、複数の発光素子（ＬＥＤ等）を備えるセグメント方式の表示装置を用いてもよい。
【００１４】
（制御系の構成）
図２は本発明の実施形態に係るデジタルカメラＣＭの制御系の構成を示すブロック図である。同図において、１は撮影レンズであり、２は撮影レンズ１を介して結像される被写体の像を電気信号に変換して出力する撮像素子である。３は撮像素子２から出力されるアナログ信号をデジタル信号に変換するＡ／Ｄ変換回路であり、４は撮像素子２に対して画像信号を取り出すためのタイミング信号を与えるタイミングジェネレータ（ＴＧ）である。５は撮像素子２で撮影され、Ａ／Ｄ変換回路３でＡ／Ｄ変換された画像データを一時的に保存するイメージメモリである。
【００１５】
６はイメージメモリ５に保存されている画像データに対して各種の画像処理を行う画像処理回路である。７は画像処理回路６で処理された画像データを、ＪＰＥＧ等の方式で圧縮処理する圧縮回路であり、８は撮影した画像やその他の情報を表示するための処理を行う表示回路である。これらの画像処理回路６、圧縮回路７、及び表示回路８により画像処理ブロックが構成されている。９は表示回路８にて生成された画像等のデータや各種の設定メニュー等を表示するためのＴＦＴなどのドットマトリクス方式の液晶パネルから構成される画像表示装置である。１０は画像データを一時的に保存するメモリである。
【００１６】
１１は画像データを保存する単一の又は複数の記録媒体である。記録媒体１１は、このカメラＣＭに設けられたカードスロット（不図示）に対して着脱可能に装着されるメモリーカードである。１２はこのカメラＣＭを統括的に制御するＣＰＵ（マイクロプロセッサ等）であり、１３は上述したファインダ内表示装置である。
【００１７】
１４はこのカメラＣＭに設けられた傾斜センサーであり、この傾斜センサーは、カメラＣＭの傾きを検出する検出手段である。傾斜センサーとしては、カメラＣＭの傾きが検出できるものであれば、どのようなセンサでもよいが、ここでは、加速度センサーを用いている。加速度センサとしては、静電容量型、サーモ型等の何れの形式でもよい。
【００１８】
１５はこのカメラＣＭに設けられた操作部材であり、主電源をオン／オフするメインスイッチ、レリーズボタン、コマンドダイヤル、メニューボタン、項目選択用十字キー、ＯＫボタン（決定ボタン）、表示切換ボタン等が含まれる。表示切換ボタンは、後述する傾き表示を行う場合に操作されるボタンである。
【００１９】
１６はファインダ内表示装置１３と同様に、露出情報、その他の撮影に関する情報を表示するための情報表示装置であり、セグメント方式の液晶パネル等から構成されている。この情報表示装置は、カメラＣＭの上面（肩部）若しくは背面に設けられている。
【００２０】
なお、このカメラＣＭの撮影から画像保存に関する処理については既知のため、ここではその説明を省略する。
【００２１】
（ファインダ内表示）
図３は、ファインダ内表示装置１３により表示されるファインダ内表示の一例を示す図である。同図において、ＰＡは撮影領域であり、撮影領域ＰＡは撮影レンズ１を介した光学像が表示される領域である。同図の例では、撮影領域ＰＡの右側には、ファインダ内表示装置１３によって表示される露出レベル（状態）を表示するための露出インジケータ２０が配置されている。
【００２２】
また、撮影領域ＰＡの下側には、ファインダ内表示装置１３によって表示されるシャッタスピードを表示するためのシャッタスピードインジケータ３１及び絞り値を表示するための絞り値インジケータ３２を有する情報インジケータが配置されている。これらの露出インジケータ２０及び情報インジケータ３１，３２の配置は、これに限定されず、撮影領域ＰＡの上側や左側に配置してもよい。また、露出インジケータ２０と情報インジケータ３１，３２とを上下又は左右に２列に並べて、撮影領域ＰＡの何れかの辺の外側に配置してもよい。
【００２３】
露出インジケータ２０は、直線的（上下に一列）に配置された複数の表示セグメント２１，２２を有し、同図の例では、中央に位置するセンタ表示セグメント２２を含む矩形状の１３個の表示セグメントと、両端部分（上下端部分）に三角形の表示セグメントをそれぞれ有する配列となっている。表示セグメント２１は、露出値に対応する目盛に相当し、適正露出であることを示すセンタ表示セグメント２２を挟んで、上下に配列されている。センタ表示セグメント２２は、他の表示セグメント２１から識別するため、該他の表示セグメント２１よりも横長となっている。
【００２４】
また、これらの表示セグメント２１の一端側（上端側）の三角形の表示セグメントの近傍には、オーバー露出側であることを示すプラスマーク表示セグメント（＋）２３が、他端側（下端側）の三角形の表示セグメントの近傍には、アンダー露出側であることを示すマイナスマーク表示セグメント（−）２４が配置されている。図３では、露出インジケータ２０を構成する全ての表示セグメント２１，２２，２３，２４が点灯された状態を示している。
【００２５】
シャッタスピードインジケータ３１は、概略「８」の字状に配置された７つの表示セグメントを有する３個の数字インジケータ（「０」から「９」までの数字等を表示可能）Ａ，Ｂ，Ｃ、小数点インジケータ、及び概略「ｂ」の字状に配置された５つの表示セグメントを有する数字インジケータ（「０」又は「１」の数字等を表示可能）Ｄを備えて構成されている。
【００２６】
絞り値インジケータ３２は、絞り値の表示であることを示す「Ｆ」の文字からなる文字インジケータＥ、数字インジケータＡ〜Ｃと同様の構成を有する２個の数字インジケータＦ，Ｇ及び小数点インジケータを備えて構成されている。図３では、各数字インジケータＡ〜Ｄ，Ｆ，Ｇ、小数点インジケータ、文字インジケータＥを構成する全ての表示セグメントが点灯された状態を示している。
【００２７】
情報インジケータ３１，３２内の各インジケータＡ〜Ｇ等の構成、配列、組み合わせは、これに限定されず、他の構成、配置、組み合わせであってもよい。また、情報の内容も、ここでは、上述した通り、シャッタスピード及び絞り値としたが、他の撮影に関する情報であってもよい。
【００２８】
図４には、これらの露出インジケータ２０及び情報インジケータ３１，３２の表示例が示されている。ここでは、露出インジケータ２０には、露出偏差がプラス側に「２／３段」であることが例示されている。また、シャッタスピードインジケータ３１には、シャッタスピードが「１／２５０秒」であることが例示されており、絞り値インジケータ３２には、絞り値が「Ｆ５．６」であることが例示されている。
【００２９】
この実施形態では、これらの露出インジケータ２０及びシャッタスピードインジケータ３１を、このカメラＣＭの傾き（量及び方向）を表示するためのインジケータとして兼用する。撮影者は、このカメラＣＭに設けられた操作部材１５の一つとしての表示切換ボタンを押下することにより、露出インジケータ２０及びシャッタスピードインジケータ３１の各表示を傾き表示に切り換えることができるようになっている。この傾き表示ボタンが押下されると、ＣＰＵ１２は、傾斜センサ１４の出力に基づいて、カメラＣＭの傾きを算出し、以下のような表示を行う。なお、表示切換ボタンを再度押下することにより、露出、シャッタスピード、及び絞り値の表示に戻すことができる。
【００３０】
露出インジケータ２０を用いた傾き表示は、主として傾きの量を認識できるように表示するものであり、傾きの方向もわかるようになっている。即ち、カメラＣＭを背面から見て、撮影レンズ１の光軸方向を基準として、反時計回りに回転している場合（カメラＣＭの左肩が低く、右肩が高い場合）には、センタ表示セグメント２２よりも上側（プラスマーク表示セグメント２３側）の表示セグメント２１を用い、センタ表示セグメント２２からその角度に応じて点灯数を変更させつつ、隣接する表示セグメント２１を上方へ向かって順次点灯することにより行う。なお、表示セグメント２１の点灯数と回転角度との関係は、任意に設定することができるが、例えば、１個の表示セグメント（目盛１つ）につき、１度、５度、又は１０度等とすることができる。
【００３１】
これと逆に、カメラＣＭを背面から見て、撮影レンズ１の光軸方向を基準として、時計回りに回転している場合（カメラＣＭの左肩が高く、右肩が低い場合）には、センタ表示セグメント２２よりもマイナス側（マイナスマーク表示セグメント２４側）の表示セグメント２１を用い、センタ表示セグメント２２からその角度に応じて点灯数を変更させつつ、隣接する表示セグメント２１を下方へ向かって順次点灯することにより行う。ここで、傾き表示の場合には、露出表示との混乱を防ぐため、プラスマーク表示セグメント２３及びマイナスマーク表示セグメント２４は点灯させない。但し、これらのマーク表示セグメント２３，２４を点灯させてもよい。
【００３２】
シャッタスピードインジケータ３１を用いた傾き表示は、主として傾きの方向を直感的に認識できるように表示するものであり、傾きの程度（傾き量の概略）もわかるようになっている。ここでは、シャッタスピードを表示するための各数字インジケータ（３桁分）Ａ，Ｂ，Ｃの各７つの表示セグメントの内の上下３段の横向きに配置された表示セグメントを用いて、これらを表示する。なお、ここでは、絞り値インジケータ３２の各表示セグメントは消灯させるものとする。
【００３３】
図５〜図８には、カメラＣＭを水平（撮影領域ＰＡの長手方向を横）又はこれに近い状態（ほんのわずかカメラＣＭが傾いている状態）とした場合の露出インジケータ２０及びシャッタスピードインジケータ３１を用いた傾き表示の例が示されている。カメラＣＭが水平にある状態では、図５に示されているように、露出インジケータ２０ではセンタ表示セグメント２２のみを点灯し、シャッタスピードインジケータ３１には、各数字インジケータＡ，Ｂ，Ｃの各７つの表示セグメントの内の中段の表示セグメントのみを点灯する。各数字インジケータＡ，Ｂ，Ｃの中段の表示セグメントが３つ点灯されることにより、カメラＣＭがほぼ水平であることが直感的に認識できる。
【００３４】
図６には、水平（図５）よりも左に（カメラＣＭを背面から見て、撮影レンズ１の光軸方向に対して反時計回りに）少し傾いた状態（例えば、５度）が示されている。露出インジケータ２０には、センタ表示セグメント２２及びプラス側に目盛１個分（例えば、「５度／１目盛」に設定していた場合）に相当する表示セグメント２１が点灯されている。シャッタスピードインジケータ３１には、左側の数字インジケータＡでは中段と下段、中央の数字インジケータＢでは中段、右側の数字インジケータＣでは、中段と上段の表示セグメントが点灯されている。これにより、カメラＣＭの左側が下方に、右側が上方に僅かに傾いていることが理解できる。
【００３５】
図７には、図６よりも左に（カメラＣＭを背面から見て、撮影レンズ１の光軸方向に対して反時計回りに）更に傾いた状態（例えば、１５度）が示されている。露出インジケータ２０には、センタ表示セグメント２２及びプラス側に目盛３個分に相当する表示セグメント２１が点灯されている。シャッタスピードインジケータ３１には、左側の数字インジケータＡでは下段、中央の数字インジケータＢでは中段、右側の数字インジケータＣでは上段の表示セグメントが点灯されている。これにより、カメラＣＭの左側が下方に、右側が上方に図６よりも更に傾いていることが理解できる。
【００３６】
図８には、図７よりも左に（カメラＣＭを背面から見て、撮影レンズ１の光軸方向に対して反時計回りに）更に傾いた状態（例えば、３５度）が示されている。露出インジケータ２０には、中央表示セグメント２２及びプラス側の全ての表示セグメント２１が点灯されている。シャッタスピードインジケータ３１の表示は、図７と同じである。シャッタスピードインジケータ３１による傾き表示は同じであるが、露出インジケータ２０による傾き表示により、カメラＣＭが図７よりも左側が下方に、右側が上方に大きく傾いていることが理解できる。
【００３７】
このように、シャッタスピードインジケータ３１を構成する各数字インジケータＡ，Ｂ，Ｃの横向きの表示セグメントを用いて、傾きを図形的に表示しており、傾きの方向及び傾きの程度（傾きの大凡の量）を直感的に認識することができる。また、露出インジケータ２０により、傾きの方向及び傾きのより詳細な量を認識することができる。なお、絞り値インジケータ３２は、上述した説明では、その表示セグメントは全て消灯するものとしたが、数字インジケータＦ，Ｇ（小数点表示を行う場合には小数点インジケータも含む）を用いて傾き量を数値で表示するようにしてもよい。また、絞り値を表示したままとしてもよい。
【００３８】
図９及び図１０には、カメラＣＭを垂直（撮影領域ＰＡの長手方向を縦）又はこれに近い状態とした場合の表示例が示されている。この場合には、シャッタスピードインジケータ３１は用いず（全て消灯させ）、露出インジケータ２０のみを用いて傾き表示を行う。カメラＣＭが垂直にある状態では、図９に示されているように、露出インジケータ２０はセンタ表示セグメント２２のみを点灯する。これにより、カメラＣＭが垂直であることを直感的に認識することができる。
【００３９】
図１０には、  垂直よりも右に（カメラＣＭを背面から見て、撮影レンズ１の光軸方向に対して時計回りに）少し傾いた状態の表示例が示されている。露出インジケータ２０には、センタ表示セグメント２２及びプラス側に目盛２個分に相当する表示セグメント２１が点灯されている。これにより、カメラＣＭがその左側が上方に、右側が下方に僅かに傾いていることが理解できる。なお、ここでは、カメラＣＭを垂直にした場合には、シャッタスピードインジケータ３１による傾き表示をしないものとしたが、図５〜図８と同様に、表示するようにしてもよい。
【００４０】
上述した水平に近い場合の表示（図５〜図８）と垂直に近い場合の表示（図９，図１０）との切り換えは、例えば、操作部材１５の一つとして、水平／垂直切換ボタンを設けて、このボタンの押下により行うようにできる。また、この切り換えを自動的に行うようにしてもよい。即ち、カメラＣＭが水平に対して±４５度の範囲内である場合には、水平に近い場合の表示（図５〜図８）を、カメラＣＭが垂直に対して±４５度の範囲内である場合には、垂直に近い場合の表示（図９，図１０）を行うようにできる。但し、より分かり易い表示とするため、カメラＣＭが水平に対して±３０度の範囲内である場合には、水平に近い場合の表示（図５〜図８）を、カメラＣＭが垂直に対して±３０度の範囲内である場合には、垂直に近い場合の表示（図９，図１０）を行うようにし、その間は表示を行わない（露出インジケータ２０及び情報インジケータ３１，３２の全ての表示セグメントを消灯）するようにしてもよい。
【００４１】
なお、デジタルスチルカメラでは、撮影画像と共に、該撮影画像の撮影情報としてカメラの姿勢を記録することが可能であるが、カメラＣＭが水平に対して±３０度の範囲内である場合には、水平を示す情報を、カメラＣＭが垂直に対して±３０度の範囲内である場合には、垂直を示す情報を記録し、これら以外の角度である場合には情報を記録しないようにできる。但し、これら以外の角度である場合には、水平を示す情報を記録するようにしてもよい。カメラＣＭの傾斜センサー１４による正確な傾き量及び方向を詳細に数値で記録するようにしてもよい。
【００４２】
以上説明した通り、本実施形態によると、セグメント方式のファインダ内表示装置１３による、露出表示用の露出インジケータ２０及びシャッタスピード表示用のシャッタスピードインジケータ３１を用いて、カメラＣＭの傾きを表示するようにしたので、傾きを表示するための特別な表示装置（傾き表示用の表示セグメント）を別途設ける必要がなく、ファインダの大型化、高コスト化を抑制しつつ、ファインダ内での傾き表示が可能なカメラを提供することができ、カメラを手持ちしてファインダを視認しながら、カメラを水平又は垂直に設定しての撮影を容易に行うことができるようになる。
【００４３】
なお、上述した実施形態のデジタルカメラは、画像表示用のドットマトリクス方式の画像表示装置９の他、情報表示用のセグメント方式の情報表示装置１６を備えており、上述したファインダ内表示装置１３による露出インジケータ２０や情報インジケータ３１，３２を兼用しての傾き表示に加えて、又はこれに代えて、当該情報表示装置１６の露出インジケータや情報インジケータ、その他のインジケータを兼用して、傾き表示を行うようにしてもよい。
【００４４】
なお、以上説明した実施形態は、本発明の理解を容易にするために記載されたものであって、本発明を限定するために記載されたものではない。従って、上記の実施形態に開示された各要素は、本発明の技術的範囲に属する全ての設計変更や均等物をも含む趣旨である。
【図面の簡単な説明】
【００４５】
【図１】本発明の実施形態のカメラの概略構成を示す図である。
【図２】本発明の実施形態のカメラの制御系の構成を示すブロック図である。
【図３】本発明の実施形態の露出インジケータ及び情報インジケータを示す図である。
【図４】本発明の実施形態の露出、シャッタスピード、及び絞り値の表示例を示す図である。
【図５】本発明の実施形態の傾きの表示例（水平な状態）を示す図である。
【図６】本発明の実施形態の傾きの表示例（図５よりも僅かに傾けた状態）を示す図である。
【図７】本発明の実施形態の傾きの表示例（図６よりも更に傾けた状態）を示す図である。
【図８】本発明の実施形態の傾きの表示例（図７よりも更に傾けた状態）を示す図である。
【図９】本発明の実施形態の傾きの表示例（垂直な状態）を示す図である。
【図１０】本発明の実施形態の傾きの表示例（図９よりも僅かに傾けた状態）を示す図である。
【符号の説明】
【００４６】
１…撮影レンズ、２…撮像素子、６…画像処理回路、９…画像表示装置、１１…記録媒体、１２…ＣＰＵ、１３…ファインダ内表示装置、１４…傾斜センサー、１５…操作部材（表示切換ボタン）、１６…情報表示装置、２０…露出インジケータ、２１…表示セグメント、２３…センタ表示セグメント、３１…シャッタスピードインジケータ、３２…絞り値インジケータ、Ａ〜Ｄ，Ｆ，Ｇ…数字インジケータ、ＰＡ…撮影領域。
【図１】
0005034714.tif 000002
【図２】
0005034714.tif 000003
【図３】
0005034714.tif 000004
【図４】
0005034714.tif 000005
【図５】
0005034714.tif 000006
【図６】
0005034714.tif 000007
【図７】
0005034714.tif 000008
【図８】
0005034714.tif 000009
【図９】
0005034714.tif 000010
【図１０】
0005034714.tif 000011